(57)【特許請求の範囲】
【請求項１】
対物レンズ群と接眼レンズ群とのうち一方をそのレンズ群光軸に略垂直な面内で略一直線方向にのみ移動可能に、また対物レンズ群と接眼レンズ群とのうち他方をそのレンズ群光軸に略垂直な面内で上記一直線方向に対して略垂直方向にのみ移動可能にした手段を具備し、
光学系の光軸を上記一直線方向およびこの一直線方向に対する略垂直方向に独立して調整可能としたことを特徴とする双眼鏡の光軸調整機構。
【請求項２】
対物レンズ群と、
接眼レンズ群と、
上記対物レンズ群を光軸方向に沿って移動可能にガイドすると共に、光軸に対して略垂直な面内で所定の一方向のみの光軸調整変位が可能なように上記対物レンズ群を軸周りに回動可能に支持する対物軸と、
上記接眼レンズ群を光軸に対して略垂直な面内であって上記対物レンズ群の上記所定方向に対して略垂直方向のみに摺動可能とする摺動手段と、
を具備し、
上記対物レンズ群を上記対物軸回りに回動移動させること、および上記摺動手段により接眼レンズ群を移動させることで、光学系全体の光軸を上記所定の一方向とこの一方向に対して略垂直方向とに独立して調整可能としたことを特徴とする双眼鏡の光軸調整機構。
【請求項３】
左右一対の対物レンズ群と接眼レンズ群とを備える双眼鏡において、
上記一対の対物レンズ群をそれぞれ光軸に略垂直な平面内で移動可能とし、上記一対の対物レンズ群それぞれの光軸位置の所定の一方向のみの調整を行なうための左右一対の機構と、
上記一対の接眼レンズ群をそれぞれ光軸に略垂直な平面内で移動可能とし、上記対物レンズ群の光軸位置調整方向と略垂直な方向のみについて、上記一対の接眼レンズ群それぞれの光軸位置調整を上記対物レンズ群の光軸位置調整と独立して行なうための左右一対の機構と、
上記一対の対物レンズ群をそれぞれ光軸方向に駆動するピント調整機構と、
を具備することを特徴とする双眼鏡。
【請求項４】
上記一対の対物レンズ群のそれぞれは、上記光軸位置調整が可能なように上記光軸に略垂直な平面内で回動可能に支持され、
上記一対の接眼レンズ群のそれぞれは、上記光軸位置調整が可能なように上記光軸に略垂直な平面内で一直線方向に移動可能に支持されることを特徴とする請求項３に記載の双眼鏡。
【発明の詳細な説明】
【０００１】
【発明の属する技術分野】
この発明は、双眼鏡の光軸調整機構および双眼鏡、詳しくは双眼鏡において左右一対の光学系の間に生じる光軸ずれを調整する双眼鏡の光軸調整機構および双眼鏡に関するものである。
【０００２】
【従来の技術】
従来より、双眼鏡において左右一対の光学系の間に生じる光軸の調整については、例えばプリズムの位置を動かすことによってその調整を行なうようにしたものが一般的である。例えば、ポロプリズムが適用された双眼鏡においては、プリズムをその長辺方向に摺動させることで左右に配置された一対の鏡筒光学系間に生じる光軸ずれを調整するようにしたものが実用化されている。また、ダハプリズムが適用された双眼鏡においては、２つのプリズムを一つのユニットとして移動させることによって左右に配置された一対の鏡筒光学系間に生じる光軸ずれを調整するようにしたものが実用化されている。
【０００３】
【発明が解決しようとする課題】
ところが、上述したような従来の双眼鏡の光軸調整機構によれば、微妙な位置調節を行なうことが必要となるためにより多くの工数が必要となり、また、その調整作業は熟練した技術を要することとなってしまうという問題点があり、より効率のよい光軸調整を行なうことは困難となっていた。
【０００４】
本発明の目的は、上記従来の問題点を解消し、双眼鏡における左右一対の鏡筒光学系間の光軸調整を容易に行なうことのできる双眼鏡の光軸調整機構および双眼鏡を提供するにある。
【０００５】
【課題を解決するための手段】
本発明による双眼鏡の光軸調整機構は、対物レンズ群と接眼レンズ群とのうち一方をそのレンズ群光軸に略垂直な面内で略一直線方向にのみ移動可能に、また対物レンズ群と接眼レンズ群とのうち他方をそのレンズ群光軸に略垂直な面内で上記一直線方向に対して略垂直方向にのみ移動可能にした手段を具備し、光学系の光軸を上記一直線方向およびこの一直線方向に対する略垂直方向に独立して調整可能としたことを特徴とする。
【０００６】
また、本発明による双眼鏡の光軸調整機構は、対物レンズ群と、接眼レンズ群と、上記対物レンズ群を光軸方向に沿って移動可能にガイドすると共に、光軸に対して略垂直な面内で所定の一方向のみの光軸調整変位が可能なように上記対物レンズ群を軸周りに回動可能に支持する対物軸と、上記接眼レンズ群を光軸に対して略垂直な面内であって上記対物レンズ群の上記所定方向に対して略垂直方向のみに摺動可能とする摺動手段とを具備し、上記対物レンズ群を上記対物軸回りに回動移動させること、および上記摺動手段により接眼レンズ群を移動させることで、光学系全体の光軸を上記所定の一方向とこの一方向に対して略垂直方向とに独立して調整可能としたことを特徴とする。
【０００７】
そして、本発明による双眼鏡は、左右一対の対物レンズ群と接眼レンズ群とを備える双眼鏡において、上記一対の対物レンズ群をそれぞれ光軸に略垂直な平面内で移動可能とし、上記一対の対物レンズ群それぞれの光軸位置の所定の一方向のみの調整を行なうための左右一対の機構と、上記一対の接眼レンズ群をそれぞれ光軸に略垂直な平面内で移動可能とし、上記対物レンズ群の光軸位置調整方向と略垂直な方向のみについて、上記一対の接眼レンズ群それぞれの光軸位置調整を上記対物レンズ群の光軸位置調整と独立して行なうための左右一対の機構と、上記一対の対物レンズ群をそれぞれ光軸方向に駆動するピント調整機構とを具備することを特徴とする。
さらに、本発明による双眼鏡において、上記一対の対物レンズ群のそれぞれは、上記光軸位置調整が可能なように上記光軸に略垂直な平面内で回動可能に支持され、上記一対の接眼レンズ群のそれぞれは、上記光軸位置調整が可能なように上記光軸に略垂直な平面内で一直線方向に移動可能に支持されることを特徴とする。
【０００８】
このように構成することにより、対物レンズ群と接眼レンズ群とのうち一方をそのレンズ群光軸に略垂直な面内で略一直線方向にのみ移動させ、また、対物レンズ群と接眼レンズ群とのうち他方をそのレンズ群光軸に略垂直な面内で上記一直線方向に対して略垂直方向にのみ移動させる。これにより、光学系の光軸を上記一直線方向およびこの一直線方向に対する略垂直方向に独立して調整する。
また、対物軸は、対物レンズ群を光軸方向に沿って移動可能にガイドすると共に、光軸に対して略垂直な面内で所定の一方向のみの光軸調整変位が可能なように上記対物レンズ群を軸周りに回動可能に支持し、摺動手段は、上記接眼レンズ群を光軸に対して略垂直な面内であって上記対物レンズ群の上記所定方向に対して略垂直方向のみに摺動可能とする。そして、上記対物レンズ群を上記対物軸回りに回動移動させること、および上記摺動手段により接眼レンズ群を移動させることで、光学系全体の光軸を上記所定の一方向とこの一方向に対して略垂直方向とに独立して調整する。
【０００９】
また、左右一対の対物レンズ群と接眼レンズ群とを備える双眼鏡は、左右一対の機構により、上記一対の対物レンズ群をそれぞれ光軸に略垂直な平面内で移動可能とし上記一対の対物レンズ群それぞれの光軸位置の所定の一方向のみの調整を行なう。また、左右一対の機構により上記一対の接眼レンズ群をそれぞれ光軸に略垂直な平面内で移動可能とし上記対物レンズ群の光軸位置調整方向と略垂直な方向のみについて、上記一対の接眼レンズ群それぞれの光軸位置調整を上記対物レンズ群の光軸位置調整と独立して行なう。そして、ピント調整機構は、上記一対の対物レンズ群をそれぞれ光軸方向に駆動する。
そして、上記一対の対物レンズ群のそれぞれは上記光軸位置調整が可能なように上記光軸に略垂直な平面内で回動可能に支持され、上記一対の接眼レンズ群のそれぞれは上記光軸位置調整が可能なように上記光軸に略垂直な平面内で一直線方向に移動可能に支持される。
【００１０】
【発明の実施の形態】
以下、図示の実施の形態によって本発明を説明する。
図１、図２、図３、図４、図５は、本発明の一実施の形態の双眼鏡の外観構成を示す図であって、図１は、この一実施の形態の双眼鏡の上面側から見た際の平面図を、図２は、この双眼鏡を正面側（対物レンズ側）から見た際の正面図を、図３は、この双眼鏡を背面側（接眼レンズ側）から見た際の背面図を、図４は、この双眼鏡を底面側から見た際の底面図を、図５は、この双眼鏡を側面から見た際の側面図を、それぞれ示している。
【００１１】
図１〜図５に示すように、この一実施の形態の双眼鏡は、双眼鏡本体であり各種内部機構が配置されている下地板１を、上側から上部カバー２によって、下側から下部カバー３によって、両側面から側面カバー４によって、それぞれ覆われるように構成されている。
【００１２】
上記上部カバー２、下部カバー３等は、双眼鏡自体を小型化するために、例えば金属等の部材によって形成されている。
【００１３】
上記下地板１の接眼レンズ群２３（Ｌ，Ｒ）が配設されている側の面の略中央部には、ピント調整用の回転式操作部材からなる距離ツマミ５が回動自在に配設されており、この距離ツマミ５の一端面には距離蓋３６が配設されている（図３参照）。
【００１４】
図４に示すように、上記下部カバー３の下面側の略中央部には、眼幅調整用の回転式操作部材からなる眼幅ツマミ６が配設されており、この眼幅ツマミ６の周囲において、上記下部カバー３上には、眼幅の位置を示す複数の指標３ａが、例えば上記眼幅ツマミ６を中心とする放射方向に刻印等によって設けられている。
【００１５】
また、上記下部カバー３の下面側において、上記眼幅ツマミ６を挟んでその両側には、複数の筋状の凸部３ｂが設けられている。これは、この双眼鏡の携帯性、保持性を良好にするために設けられているものであり、双眼鏡を保持する際の指掛かりとなるものである。
【００１６】
そして、上記下部カバー３の下面側において、その一方の側（図４においては、右眼用接眼レンズ群２３Ｒの配設される側）には孔部が設けられており、この孔部には視度調整用のスライド式操作部材からなる視度ツマミ７が光軸と直交する方向に摺動自在に配設されている。そして、この視度ツマミ７の近傍の、上記下部カバー３上には、例えば＋（プラス）、−（マイナス）、基準位置等の指標３ｃが刻印等によって設けられている。
【００１７】
一方、図２に示すように、この双眼鏡の対物レンズ群１８（Ｌ，Ｒ）が配設されている側の面には、透明な保護部材等からなる前部カバー８が配設されており、この双眼鏡内部に対し、例えば塵芥、異物等の外部からの侵入を防止している。
【００１８】
これと同様に、図３に示すように、この双眼鏡の接眼レンズ群２３（Ｌ，Ｒ）が配設されている側の面には、上述の前部カバー８と同様の透明な保護部材等からなる後部カバー９が配設されており、この双眼鏡内部に対し、例えば塵芥、異物等の外部からの侵入を防止している。
【００１９】
他方、図５に示すように、この双眼鏡の両側面部においては、例えばこの双眼鏡を携帯するためのストラップ等を取り付けるための吊り環１０が配設されている。
以上説明したように、上記一実施の形態の双眼鏡は、その外観が構成されている。
【００２０】
次に、上記一実施の形態の双眼鏡の内部構成について、以下に説明する。
図６は、この双眼鏡の光学系についての内部機構を分解して示す概略斜視図であり、図７は、この双眼鏡の上記上部カバー２を取り外した状態で上面側より見た際の横断面図を、図８は、この双眼鏡の上記上部カバー２を取り外し、かつ繰り出し機構部を取り外した状態において上面側より見た際の横断面図を、それぞれ示している。
【００２１】
また、図９は、上記図７におけるＡ−Ａ線に沿う線の縦断面図を、図１０は、上記図８におけるＢ−Ｂ線に沿う線の縦断面図を、図１１は、上記図８におけるＣ−Ｃ線に沿う線の縦断面図を、また、図１２は、対物レンズ枠（１７Ｌ）を取り出して分解した際の概略分解図を、それぞれ示している。
【００２２】
なお、図１２については、この双眼鏡の一方（左側）の対物レンズ枠１７Ｌについてのみ図示しているが、他方（右側）の対物レンズ枠１７Ｒにおいては対称形状となっており基本的な構成については同様であるので、その図示は省略している。
【００２３】
まず、図６、図７、図８によって、この双眼鏡の光学系について、以下に説明する。
図６〜図８に示すように、この双眼鏡の光学系を保持すると共に保護する左右一対の鏡筒光学系である鏡筒１１（Ｌ，Ｒ）は、例えば金属、樹脂等の部材によって形成されており、対物レンズ群１８（Ｌ，Ｒ）、対物レンズ枠１７（Ｌ，Ｒ）等からなる鏡筒対物部と、鏡筒本体部１２（Ｌ，Ｒ）と、接眼レンズ群２３（Ｌ，Ｒ）、接眼レンズ枠２２（Ｌ，Ｒ）等からなる鏡筒接眼部の３つのブロックによって構成されている。
【００２４】
上記鏡筒本体部１２（Ｌ，Ｒ）には、第１プリズム１３（Ｌ，Ｒ）および第２プリズム１４（Ｌ，Ｒ）がそれぞれ配設されており、この第１、第２プリズム１３，１４（Ｌ，Ｒ）は、プリズム受け部材１５、プリズムバネ１６等によって、上記鏡筒本体部１２（Ｌ，Ｒ）内の所定の位置に固定されるようになっている。
【００２５】
上記鏡筒本体部１２（Ｌ，Ｒ）の前部側、つまり物体側には、上記鏡筒対物部を形成する対物レンズ枠１７（Ｌ，Ｒ）が配設されており、この対物レンズ枠１７（Ｌ，Ｒ）には、小判形状からなる複数のレンズ等によって形成される対物レンズ群１８（Ｌ，Ｒ）が保持されている。
【００２６】
また、上記対物レンズ枠１７（Ｌ，Ｒ）の一端部には、光学系の光軸方向と同方向に延出された合焦支持軸である対物軸１９（Ｌ，Ｒ）が配設されている。この対物軸１９（Ｌ，Ｒ）の一方の対物軸１９Ｌは、その一端側（対物レンズ群１８Ｌ側）の先端部がＴカラー２０を介して上記鏡筒本体部１２Ｌに設けられた孔部に嵌合されていると共に、他端側（接眼レンズ２３Ｌ側）の先端部は上記鏡筒本体部１２Ｌに設けられた孔部に嵌合されており、これにより、上記鏡筒対物部が光軸方向に所定量だけ移動されるように位置決めがなされている。
【００２７】
また、上記対物軸１９（Ｌ，Ｒ）の他方の対物軸１９Ｒは、上記対物軸１９Ｌとは逆に、その一端側（対物レンズ１８Ｒ側）の先端部を上記鏡筒本体部１２Ｒに設けられた孔部に嵌合されていると共に、他端側（接眼レンズ２３Ｒ側）の先端部がＴカラー２０を介して上記鏡筒本体部１２Ｒに設けられた孔部に嵌合されており、これにより、上記鏡筒対物部が光軸方向に所定量だけ移動されるように位置決めがなされている。
【００２８】
そして、上記対物軸１９Ｌにはその一端側に、上記対物軸１９Ｒにはその他端側に、それぞれバネ部材である対物バネ２１（Ｌ，Ｒ）が巻回されて配設されており、この対物バネ２１（Ｌ，Ｒ）のそれぞれの一端部は上記対物レンズ枠１７Ｌ，１７Ｒに係合されていると共に、それぞれの他端部は上記鏡筒本体部１２（Ｌ，Ｒ）の孔部に嵌合される上記Ｔカラー２０に係合されている（図１２参照）。これにより、上記対物バネ２１（Ｌ，Ｒ）は、上記対物軸１９（Ｌ，Ｒ）回りにモーメント力が働いて、上記対物レンズ枠１７（Ｌ，Ｒ）を上記鏡筒本体部１２（Ｌ，Ｒ）の底面側に設けられたストッパ部材１２ａＬ，１２ａＲ（図８、図１１参照）に、それぞれ当接させる方向（図１１において、矢印Ｄ，Ｅでそれぞれ示す方向）に常に付勢するようになっている。
【００２９】
なお、上記対物レンズ枠１７（Ｌ，Ｒ）は、ピント調整機構および視度調整機構に連動して光学系の光軸方向に移動するようになっており、これにより、ピント調節および視度調節が行なわれるようになっている。
【００３０】
一方、上記鏡筒本体部１２（Ｌ，Ｒ）の後部側、つまり瞳側には、鏡筒接眼部を形成する接眼レンズ枠２２（Ｌ，Ｒ）が、例えばネジ等によって上記鏡筒本体部１２（Ｌ，Ｒ）に固定されており、この接眼レンズ枠２２（Ｌ，Ｒ）には、小判形状からなる複数のレンズ等によって形成される接眼レンズ群２３（Ｌ，Ｒ）が保持されていると共に、この接眼レンズ枠２２（Ｌ，Ｒ）の前部側には視野絞り２４（Ｌ，Ｒ）が配設されている。
【００３１】
そして、上記左右一対の鏡筒１１（Ｌ，Ｒ）は、この双眼鏡の光学系の光軸と直交する方向に、ガイド部材である第１ガイド軸２５、第２ガイド軸２６によって摺動自在に案内（ガイド）されるようになっている。
【００３２】
つまり、上記第１ガイド軸２５は、上記下地板１の両側面部に設けられた孔部に嵌合されることによって、その光軸方向の位置決めがなされるようになっており、また、上記第２ガイド軸２６は、その一端部が上記鏡筒本体部１２Ｌに対して接着固定されていると共に、他端部が上記鏡筒本体部１２Ｒに対して摺動自在に保持されている。そして、上記第１ガイド軸２５と上記第２ガイド軸２６とは、光学系の光軸に直交する方向において、互いに平行になるように配置されている。
【００３３】
これにより、眼幅調整が行なわれる際には、上記第１ガイド軸２５と上記第２ガイド軸２６に沿って、上記左右一対の鏡筒１１（Ｌ，Ｒ）が移動して、互いの間隔を変更することができるようになっている。
【００３４】
なお、図９に示すように、上記第２ガイド軸２６は、下地板１と第２ガイド軸押え部材２７との間に挟持されるようになっており、これにより、上記第１ガイド軸２５を回転中心として上記左右一対の鏡筒１１（Ｌ，Ｒ）が回動してしまうことを防止するようになっている。
【００３５】
このように構成された上記一実施の形態の双眼鏡において、視度調整機構およびピント調整機構について、以下に説明する。
【００３６】
この一実施の形態の双眼鏡においては、上記対物レンズ枠１７（Ｌ，Ｒ）を繰り込み、または繰り出すことによって、視度調整およびピント調整を行なうようになっており、上記対物レンズ枠１７（Ｌ，Ｒ）を繰り出すための機構については、視度調整機構とピント調整機構の２つの機構に分かれて配置されている。
【００３７】
まず、視度調整機構について、以下に説明する。
視度調整を行なう際には、上記視度ツマミ７の摺動操作を行なうことで、この双眼鏡の略中央部に配設され、対物ネジ２８等によって構成されるレンズ群移動手段である繰り出し機構（図７参照）によって、右側の対物レンズ枠１７Ｒのみを繰り出し、または繰り込む動作を行なうことで行なわれる。
【００３８】
図１０に示すように、上記視度ツマミ７は、操作部７ａと一体的に設けられたギアー部７ｂによって形成されている。このギアー部７ｂは、図７、図９に示すように、上記繰り出し機構を構成する対物ネジ２８に嵌合している視度ギアー２９と噛合している。また、上記対物ネジ２８の中程には視度ネジ３０が嵌合しており、上記視度ツマミ７の摺動動作によって、そのギアー部７ｂが摺動されることにより、これと噛合している上記視度ギアー２９が回動し、これに伴って、上記対物ネジ２８が回動することにより、上記視度ネジ３０も同方向に回動するようになっている。そして、この視度ネジ３０には、右腕部材３１ａが螺合しており、上記視度ネジ３０の回動動作に従って、上記右腕部材３１ａが光学系の光軸方向に移動するようになっている。
【００３９】
そして、上記右腕部材３１ａには、図７に示すように、上記対物レンズ枠１７Ｒに植設されている軸部材３２Ｒの一端部が係合しており、上記右腕部材３１ａの光軸方向への移動に伴って、上記対物レンズ枠１７Ｒを光軸方向に移動させるようになっており、これにより、視度調整が行なわれるようになっている。
【００４０】
次に、ピント調整機構について、以下に説明する。
図７、図９に示すように、上記距離ツマミ５は下地板１の後部側（瞳側）の略中央部に穿設された孔部に挿入されており、抜け止めとしてＣリング３３が嵌合されることにより上記下地板１に回動自在に配設されている。この距離ツマミ５には、その一方の先端部（後部側；瞳側）にネジ部が設けられているレンズ群移動手段である繰り出し機構を構成する上記対物ネジ２８が螺合するようになっている。また、この対物ネジ２８の前部側（物体側）の先端部は、小判形状に形成されており、この小判形状からなる先端部が、上記下地板１に設けられた固定部材１ａに穿設されている小判形状の孔部に嵌合するようになっている。
【００４１】
これにより、上記距離ツマミ５を回動させることで、上記対物ネジ２８が上記距離ツマミ５の回動動作に伴って、繰り込み、および繰り出し動作を行なうようになっている。
【００４２】
そして、上記対物ネジ２８には、左腕部材３１ｂが螺合しており、この左腕部材３１ｂが上記対物ネジ２８の回動動作に連動して光軸方向に移動するようになっており、上記左腕部材３１ｂには、上記右腕部材３１ａと同様に、上記対物レンズ枠１７Ｌに植設されている軸部材３２Ｌの一端部が係合しているので、上記左腕部材３１ｂの光軸方向への移動に伴って、上記対物レンズ枠１７Ｌが光軸方向に移動するようになっている。
【００４３】
なお、上記左腕部材３１ｂは、上記対物レンズ枠１７Ｌの上記対物軸１９Ｌに挿通している対物バネ２１Ｌによって、常に対物ネジ２８側に当接するように付勢されている。
【００４４】
一方、上記視度ギアー２９と視度ネジ３０との間においては、視度バネ３４が上記対物ネジ２８に挿通された状態で配設されており、上記視度ネジ３０の一端部が上記対物ネジ２８の中程に設けられたフランジ部２８ａに常に当接された状態となるようにされており、これにより、上記右腕部材３１ａの位置決めがなされている。
【００４５】
このような構成によって、上記距離ツマミ５を回動させることで、上記対物ネジ２８が上記距離ツマミ５と同方向に回動し、これによって、上記対物レンズ枠１７（Ｌ，Ｒ）の繰り出し、および繰り込み動作が行なわれる。この場合において、上記左右の腕部材３１ａ，３１ｂが、同一方向に一体的に移動することで、上記対物レンズ枠１７（Ｌ，Ｒ）が連動して光軸方向へと移動し、同時に同量の繰り出し、または繰り込み動作が行なわれ、これにより、ピント調整が行なわれるようになっている。
【００４６】
一方、眼幅調整については、図８、図９に示すように、上記眼幅ツマミ６を回動させることにより、左右一対の鏡筒１１（Ｌ，Ｒ）の間隔を変化させることによって行なうものである。
【００４７】
この眼幅調整を行なう眼幅調整機構について、以下に説明する。
上記眼幅ツマミ６は、図８、図９に示すように、上記下地板１に対してビス３５によって回動自在に軸支されている。上記眼幅ツマミ６には、２本のカム溝６ａが設けられており、このカム溝６ａには、上記鏡筒本体部１２（Ｌ，Ｒ）の底面側に下方に向けて植設されているカムフォロワーピン１２ｂ（Ｌ，Ｒ）がそれぞれ係合されている。
【００４８】
そして、上記眼幅ツマミ６を回動させることで、上記カムフォロワーピン１２ｂ（Ｌ，Ｒ）が上記カム溝６ａに沿って移動することで、これに連動して上記鏡筒本体部１２（Ｌ，Ｒ）が移動するようになっている。このとき、上記鏡筒本体部１２（Ｌ，Ｒ）を含む上記鏡筒１１（Ｌ，Ｒ）は、上述したように、上記第１ガイド軸２５、第２ガイド軸２６の２本のガイド軸によって光学系の光軸と直交する方向に摺動自在に保持されているので、上記眼幅ツマミ６の回動によって、上記鏡筒１１（Ｌ，Ｒ）は、互いに接近、または離間するように移動するようになっている。
【００４９】
次に、この一実施の形態の双眼鏡における光軸調整機構について、以下に説明する。
この双眼鏡における光学系の光軸の調整は、光軸に略垂直な面内、すなわち、光軸に対して直交する方向で、本体に対して上下方向に係る方向の調整と、左右方向に係る方向の調整とを、それぞれ独立させて調整が行なわれるようになっている。
【００５０】
まず、光軸に対して直交する方向で上下方向に係る方向の光軸調整機構について説明する。
【００５１】
図１１に示すように、上記対物レンズ枠１７（Ｌ，Ｒ）には、一部がネジ形状からなる調整手段である光軸調整ビス３７が配設されており、その先端部は上記鏡筒本体部１２（Ｌ，Ｒ）の底面側に設けられたストッパ部材１２ａ（Ｌ，Ｒ）に当接するようになっている。そして、上記光軸調整ビス３７を回転させることによって、上記対物レンズ枠１７（Ｌ，Ｒ）を上記対物軸１９（Ｌ，Ｒ）を回動中心としてそれぞれ回転させることができるようになっている。これにより、光軸に対して直交する方向で上下方向に係る方向の光軸調整が行なうことができるようになっている。
【００５２】
なお、上述したように、上記対物軸１９（Ｌ，Ｒ）には、図１２に示すように、対物バネ２１（Ｌ，Ｒ）が挿通されている。この対物バネ２１（Ｌ，Ｒ）は、圧縮バネ兼トーションバネになっており、上記対物レンズ枠１７（Ｌ，Ｒ）を上記鏡筒本体部１２（Ｌ，Ｒ）のストッパ部材１２ａ（Ｌ，Ｒ）に常に当接する方向（図１１においてはそれぞれ矢印Ｄ，Ｅで示す方向）に付勢し、上記対物レンズ枠１７（Ｌ，Ｒ）が所定の位置に位置決めされるようになっている。これにより、この双眼鏡自体の状態や、ピント調整、視度調整、眼幅調整等によって、その光軸が上下方向に変化してしまうということを防いでいる。
【００５３】
次に、この双眼鏡の光軸調整機構において、光軸に対して直交方向で左右方向に係る方向の光軸調整機構について説明する。
【００５４】
図１０に示すように、上記鏡筒本体部１２（Ｌ，Ｒ）には、それぞれ２本の凸部１２ｃ（Ｌ，Ｒ）が、その接眼レンズ側に向けて光軸方向に植設されており、この凸部１２ｃ（Ｌ，Ｒ）は上記接眼レンズ枠２２（Ｌ，Ｒ）に穿設された左右方向に長く設定された長孔に係合している。
【００５５】
これにより、上記接眼レンズ枠２２（Ｌ，Ｒ）を上記長孔に沿って摺動手段によって摺動させることで、光軸の直交方向で左右方向に係る方向の光軸調整を行なうことができるようになっている。そして、この場合において、光軸の左右方向の光軸調整が終了した後に、上記鏡筒本体部１２（Ｌ，Ｒ）と上記接眼レンズ枠２２（Ｌ，Ｒ）とを、それぞれ２本のビス４１等によって固定することにより、上記接眼レンズ枠２２（Ｌ，Ｒ）を所定の位置に位置決めするようになっている。これにより、この双眼鏡の状態や、ピント調整、視度調整、眼幅調整等によって光軸が変化してしまうことを防止している。
【００５６】
以上説明したように、上記一実施の形態の双眼鏡の光軸調整機構については、光軸に略垂直な面内で、本体に対してその上下方向に係る方向と左右方向に係る方向とに独立して調整するようにしたので、左右一対の鏡筒１１（Ｌ，Ｒ）の光軸調整作業を、きわめて容易に、かつ短い工数によって行なうことができる。
【００５７】
さらに、上記光軸調整機構を上記左右一対の鏡筒１１（Ｌ，Ｒ）の内部に組み込むことにより、光軸調整のための余裕（調整量）を最小限に抑えることができるので、双眼鏡自体の小型化に寄与することが容易にできる。
【００５８】
［付記］
（１）  光学系光軸を本体に対して上下方向および左右方向にそれぞれ独立して調整可能とする機能を、対物レンズ群と接眼レンズ群とに持たせた双眼鏡の光軸調整機構。
【００５９】
（２）  対物レンズ群をそのレンズ群光軸に略垂直な面内で略一直線方向に移動可能に、また接眼レンズ群をそのレンズ群光軸に略垂直な面内で上記一直線方向に対して略垂直方向に移動可能にしたレンズ群移動手段を具備し、
光学系の光軸を、上記一直線方向およびこの一直線方向に対する略垂直方向とで独立して調整可能とした双眼鏡の光軸調整機構。
【００６０】
（３）  付記２に記載の双眼鏡の光軸調整機構において、
上記レンズ群移動手段は、上記対物レンズ群および／または上記接眼レンズ群を支持軸を中心にして回動させる双眼鏡の光軸調整機構。
【００６１】
（４）  付記２に記載の双眼鏡の光軸調整機構において、さらに、
上記対物レンズ群および／または上記接眼レンズ群を、光軸方向に沿って移動可能で、かつ回動自在に支持する支持軸と、
上記対物レンズ群および／または上記接眼レンズ群を、上記光軸方向に付勢すると共に回転方向に付勢するバネ部材と、
を具備する双眼鏡の光軸調整機構。
【００６２】
（５）  付記２に記載の双眼鏡の光軸調整機構において、
上記レンズ群移動手段は、上記対物レンズ群および／または上記接眼レンズ群を摺動させる双眼鏡の光軸調整機構。
【００６３】
（６）  付記２に記載の双眼鏡の光軸調整機構において、
上記レンズ群移動手段は、左右一対の鏡筒光学系それぞれに設けた双眼鏡の光軸調整機構。
【００６４】
【発明の効果】
以上述べたように本発明によれば、双眼鏡における左右一対の鏡筒光学系間の光軸調整を容易に行なうことのできる双眼鏡の光軸調整機構および双眼鏡を提供することができる。
【図面の簡単な説明】
【図１】本発明の一実施の形態の双眼鏡の外観構成を示す図であって上面側から見た際の平面図。
【図２】上記図１の双眼鏡を正面側（対物レンズ側）から見た際の正面図。
【図３】上記図１の双眼鏡を背面側（接眼レンズ側）から見た際の背面図。
【図４】上記図１の双眼鏡を底面側から見た際の底面図。
【図５】上記図１の双眼鏡を側面から見た際の側面図。
【図６】上記図１の双眼鏡の光学系についての内部機構を分解して示す概略斜視図。
【図７】上記図１の双眼鏡の上部カバーを取り外した状態で上面側より見た際の横断面図。
【図８】上記図１の双眼鏡の上部カバーを取り外し、かつ繰り出し機構部を取り外した状態において上面側より見た際の横断面図。
【図９】上記図７におけるＡ−Ａ線に沿う線の縦断面図。
【図１０】上記図８におけるＢ−Ｂ線に沿う線の縦断面図。
【図１１】上記図８におけるＣ−Ｃ線に沿う線の縦断面図。
【図１２】上記図１の双眼鏡の対物レンズ枠を取り出して分解した際の概略分解図。
【符号の説明】
１……下地板
２……上部カバー
３……下部カバー
４……側面カバー
５……距離ツマミ
６……眼幅ツマミ
７……視度ツマミ
１１Ｌ，１１Ｒ……鏡筒（鏡筒光学系）
１２Ｌ，１２Ｒ……鏡筒本体部
１７Ｌ，１７Ｒ……対物レンズ枠
１９Ｌ，１９Ｒ……対物軸（支持軸）
２１Ｌ，２１Ｒ……対物バネ（バネ部材）
２２Ｌ，２２Ｒ……接眼レンズ枠
２８……対物ネジ（レンズ群移動手段、繰り出し機構）
３７……光軸調整ビス（調整手段）
【図１】
0003910659.tif 000002
【図２】
0003910659.tif 000003
【図３】
0003910659.tif 000004
【図４】
0003910659.tif 000005
【図５】
0003910659.tif 000006
【図６】
0003910659.tif 000007
【図７】
0003910659.tif 000008
【図８】
0003910659.tif 000009
【図９】
0003910659.tif 000010
【図１０】
0003910659.tif 000011
【図１１】
0003910659.tif 000012
【図１２】
0003910659.tif 000013